(57)【要約】【課題】顧客の希望する種類の占いの結果を印刷した占いシールを低コストに製造する。【解決手段】本実施形態に係る占いシールは、第１受容層を含む離型シートと、前記離型シートの一方の面に剥離可能に設けられ、第２受容層を含むシール部と、を備える。前記第１受容層の前記シール部とは反対側の面に隠蔽層が設けられており、前記第１受容層及び前記第２受容層に占い結果を示す画像が形成されている。シール部を離型シートから剥離すると、第２受容層に形成された画像が視認できるようになっている。【選択図】図１
2020060712.tif 000002
【特許請求の範囲】
【請求項１】
第１受容層を含む離型シートと、
前記離型シートの一方の面に剥離可能に設けられ、第２受容層を含むシール部と、
を備え、
前記第１受容層の前記シール部とは反対側の面に隠蔽層が設けられており、
前記第１受容層及び前記第２受容層に熱転写による画像が形成されていることを特徴とするシール。
【請求項２】
請求項１に記載のシールを使用し、前記画像が占い結果を示すものであることを特徴とする占いシール。
【請求項３】
前記シール部に切込みが矩形枠状に形成されており、
前記第２受容層のうち、前記切込みの内側に占い結果を示す画像が形成されていることを特徴とする請求項２に記載の占いシール。
【請求項４】
前記第１受容層のうち、前記切込みの内側に対応する領域に占い結果を示す画像が形成されていることを特徴とする請求項３に記載の占いシール。
【請求項５】
前記第２受容層に占い結果の吉凶を示す画像が形成され、
前記第１受容層に前記吉凶に応じた詳細情報を示す画像が形成されていることを特徴とする請求項４に記載の占いシール。
【請求項６】
占い結果の吉凶及び占い項目毎の詳細情報を示す占いデータを記憶するサーバ装置と、
占い項目の選択を受け付ける注文受付端末と、
第１受容層を含む離型シートの一方の面に第２受容層を含むシール部が剥離可能に設けられた受像シートの前記第１受容層及び前記第２受容層に染料を転写して画像を形成するプリンタと、
を備え、
前記注文受付端末は、選択された占い項目を前記サーバ装置に通知し、
前記サーバ装置は、吉凶を計算し、吉凶の計算結果及び通知された占い項目に対応する占いデータを用いて、吉凶を示す第１画像と詳細情報を示す第２画像とを生成し、前記第１画像及び第２画像を前記プリンタへ送信し、
前記プリンタは、前記サーバ装置から受信した前記第１画像を前記第２受容層に形成し、前記第２画像を前記第１受容層に形成し、前記第１受容層上に隠蔽層を転写して占いシールを製造することを特徴とする占いシステム。
【発明の詳細な説明】
【技術分野】
【０００１】
本発明は、シール、占いシール及び占いシステムに関する。
【背景技術】
【０００２】
中間色の再現性や階調性が高く、従来のフルカラー写真画像と同等の高品質画像が簡易に形成できる点から、昇華転写方式を用いて被転写体上に熱転写画像を形成することが広く行われている。被転写体上に熱転写画像が形成された印画物としては、デジタル写真や、身分証明書、運転免許証、会員証等多く分野で使用されているＩＤカードがある。
【０００３】
昇華転写方式による熱転写画像の形成には、基材の一方の面に染料層が設けられた熱転写シートと、被転写体、例えば、他の基材の一方の面に受容層が設けられた熱転写受像シートが使用される。そして、熱転写受像シートの受容層と、熱転写シートの染料層とを重ね合わせ、サーマルヘッドによって熱転写シートの背面側から熱を印加して染料層の染料を受容層上に移行させることにより、受容層上に熱転写画像が形成された印画物が得られる。このような昇華転写方式によれば、熱転写シートに印加するエネルギー量によって染料の移行量を制御出来るため濃度階調が可能であることから、画像が非常に鮮明であり、かつ透明性、中間調の色再現性、階調性に優れフルカラー写真画像に匹敵する高品質の印画物を形成することができる。
【０００４】
近年、粘着剤層、基材、および受容層が積層されてなるシール部が離型シート部から剥離可能に設けられたシール型熱転写受像シート（シール用紙）が使用されている。シール型熱転写受像シートでは、受容層に所望の画像を形成した後に離型シート部からシール部を剥離して、粘着剤層を介して任意の対象物に貼着することができる。このようなシール型熱転写受像シートは、従来の熱転写受像シートと比較して使用形態の幅が広く、例えば、プリントシール機等のアミューズメント分野での使用に注目が高まりつつある。
【０００５】
従来、神社・仏閣では、吉凶を占い、運勢などのコメントを記したおみくじが販売されている。例えば、参拝客は、みくじ棒の入った筒状の箱を振り、みくじ棒を一本取り出し、棒の端に記された番号と同じ番号のみくじ箋（みくじ紙）を受付又は専用の整理箱から受け取る。また、おみくじの自動販売機（頒布機）が設置されている場合もある。
【０００６】
従来のおみくじの販売態様では、占い結果を印刷したみくじ箋を事前に準備しておく必要があり、在庫管理に手間がかかっていた。また、おみくじには、学業、金運、恋愛、商売など様々な項目に関する運勢が記載されているが、運勢を詳しく知りたい項目は参拝客によって異なる。しかし、各項目に特化したみくじ箋を準備するには多大なコストがかかるため、各参拝客の要望に応じたおみくじを販売することは困難であった。
【０００７】
特許文献１には、利用者を撮影した画像に、御利益を示す「大吉」「吉」などの印や運勢を示すコメントを付加した画像をシール用紙に印刷する電子式おみくじが開示されている。しかし、このような電子式おみくじは、シール用紙の表面に、人物、御利益、運勢コメント等を全て印刷するため、極めて簡単な運勢コメントしか記すことができなかった。
【先行技術文献】
【特許文献】
【０００８】
【特許文献１】特開平１１−９００３２号公報
【発明の概要】
【発明が解決しようとする課題】
【０００９】
本発明は、顧客の希望する種類の占いの結果を印刷した占いシールを低コストに製造することができる占いシステム、占いシール、及び占いシールに用いられるシールを提供することを課題とする。
【課題を解決するための手段】
【００１０】
本発明によるシールは、第１受容層を含む離型シートと、前記離型シートの一方の面に剥離可能に設けられ、第２受容層を含むシール部と、を備え、前記第１受容層の前記シール部とは反対側の面に隠蔽層が設けられており、前記第１受容層及び前記第２受容層に熱転写による画像が形成されているものである。
【００１１】
本発明による占いシールは、本発明のシールを使用し、前記画像が占い結果を示すものである。
【００１２】
本発明の一態様では、前記シール部に切込みが矩形枠状に形成されており、前記第２受容層のうち、前記切込みの内側に占い結果を示す画像が形成されている。
【００１３】
本発明の一態様では、前記第１受容層のうち、前記切込みの内側に対応する領域に占い結果を示す画像が形成されている。
【００１４】
本発明の一態様では、前記第２受容層に占い結果の吉凶を示す画像が形成され、前記第１受容層に前記吉凶に応じた詳細情報を示す画像が形成されている。
【００１５】
本発明による占いシステムは、占い結果の吉凶及び占い項目毎の詳細情報を示す占いデータを記憶するサーバ装置と、占い項目の選択を受け付ける注文受付端末と、第１受容層を含む離型シートの一方の面に第２受容層を含むシール部が剥離可能に設けられた受像シートの前記第１受容層及び前記第２受容層に染料を転写して画像を形成するプリンタと、を備え、前記注文受付端末は、選択された占い項目を前記サーバ装置に通知し、前記サーバ装置は、吉凶を計算し、吉凶の計算結果及び通知された占い項目に対応する占いデータを用いて、吉凶を示す第１画像と詳細情報を示す第２画像とを生成し、前記第１画像及び第２画像を前記プリンタへ送信し、前記プリンタは、前記サーバ装置から受信した前記第１画像を前記第２受容層に形成し、前記第２画像を前記第１受容層に形成し、前記第１受容層上に隠蔽層を転写して占いシールを製造するものである。
【発明の効果】
【００１６】
本発明によれば、顧客の希望する種類の占いの結果を印刷した占いシールを低コストに製造することができる。
【図面の簡単な説明】
【００１７】
【図１】（ａ）は本発明の実施形態に係る占いシールの平面図であり、（ｂ）はシール部を剥離した後の占いシールの平面図である。
【図２】（ａ）は図１（ａ）のIIa-IIa線断面図であり、（ｂ）は図１（ｂ）のIIb-IIb線断面図である。
【図３】占いシステムの概略図である。
【図４】シール型熱転写受像シートの斜視図である。
【図５】図４のV-V線断面図である。
【図６】（ａ）（ｂ）は占いシールの平面図である。
【図７】（ａ）（ｂ）は占いシールの平面図である。
【発明を実施するための形態】
【００１８】
以下、本発明の実施の形態を図面に基づいて説明する。
【００１９】
図１（ａ）、図２（ａ）に示すように、本発明の実施形態に係る占いシール１は、離型シート１０と、離型シート１０の一方の面（表面）に剥離可能に設けられたシール部２０とを備える。
【００２０】
離型シート１０は、透明基材１１と、透明基材１１の一方（シール部２０側）の面に設けられた離型層１２と、透明基材１１の他方の面に順に積層された受容層１３及び隠蔽層１４とを備える。
【００２１】
透明基材１１の材料としては、例えば、ポリエチレンテレフタレート、ポリエチレン、ポリプロピレン、ポリカーボネート等を挙げることができる。
【００２２】
離型層１２は、離型シート１０からのシール部２０の剥離性を向上させるために設けられるものである。離型層１２を形成する樹脂としては、例えば、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等が挙げられる。また、離型層１２は、１種の樹脂からなるものであってもよく、２種以上の樹脂からなるものであってもよい。シール部２０を剥離した際に受容層１３に形成された画像が表面側から視認できるように、離型層１２は透明になっている。
【００２３】
受容層１３は、熱転写シートから移行してくる昇華染料を受容し、形成された画像を維持するためのものである。受容層１３を形成するための樹脂としては、ポリカーボネート、ポリエステル、ポリアミド、アクリル樹脂、セルロース樹脂、ポリスルフォン、ポリ塩化ビニル樹脂、ポリ酢酸ビニル、塩化ビニル−酢酸ビニル共重合体、ポリビニルアセタール樹脂、ポリウレタン、ポリスチレン、ポリプロピレン、ポリエチレン、エチレン−酢酸ビニル共重合体、およびエポキシ樹脂等が挙げられる。
【００２４】
隠蔽層１４は、受容層１３に形成された画像を隠蔽する機能を有し、バインダー樹脂及び着色剤から構成される。バインダー樹脂としては、例えば、ポリエステル、ウレタン樹脂、エポキシ樹脂、フェノール樹脂、アクリル樹脂、塩化ビニル−酢酸ビニル共重合体等を挙げることができる。着色剤としては、公知の着色剤、例えば、酸化チタン、酸化亜鉛、カーボンブラック、酸化鉄、鉄黄、群青、ホログラム粉末、アルミニウム粉末、メタリック顔料、パール顔料等を挙げることができる。隠蔽層１４は、これらのバインダー樹脂の１種を含有していてもよく、２種以上を含有していてもよい。着色剤についても同様である。
【００２５】
シール部２０は、離型シート１０側から粘着剤層２１、基材２２、及び受容層２３をこの順に備える。
【００２６】
粘着剤層２１の材料は特に限定されず、従来公知の溶剤系や水系の粘着剤を用いることができる。粘着剤としては、例えば、酢酸ビニル樹脂、アクリル樹脂、酢酸ビニル−アクリル共重合体、酢酸ビニル−塩化ビニル共重合体、エチレン−酢酸ビニル共重合体、エチレンアクリル酸共重合体、エチレン−アクリル酸エステル共重合体、ポリウレタン樹脂や、天然ゴム、クロロプレンゴム、ニトリルゴムなどが挙げられる。
【００２７】
基材２２は、画像形成時にサーマルヘッドから受容層２３に加えられた熱の損失を防止する役割と、粘着剤層２１及び受容層２３を支持する支持体としての役割を果たすものである。基材２２としては、ポリエチレンテレフタレート、ポリエチレンナフタレート等の耐熱性の高いポリエステル、ポリプロピレン、ポリカーボネート、酢酸セルロース、ポリエチレン誘導体、ポリアミド、ポリメチルペンテン等のプラスチックの延伸または未延伸フィルムを挙げることができる。基材２２には、コンデンサーペーパー、グラシン紙、硫酸紙、合成紙、上質紙、アート紙、コート紙、キャストコート紙、合成樹脂又はエマルジョン含浸紙、合成ゴムラテックス含浸紙、合成樹脂内添紙、セルロース繊維紙等を用いることができる。また、基材２２として、上述した複数の基材の任意の組合わせで、接着剤により貼り合わせた基材、すなわち貼り合わせ基材も使用できる。
【００２８】
受容層２３は、熱転写シートから移行してくる昇華染料を受容し、形成された画像を維持するためのものである。受容層２３の材料としては、上述した受容層１３の材料と同様のものが挙げられる。
【００２９】
基材２２と受容層２３の接着性、帯電防止性、およびカール防止性等の付与を目的として、基材２２と受容層２３との間にプライマー層を設けてもよい。
【００３０】
占いシール１には、厚み方向に受容層２３から離型層１２の表面上に達する切込み（ハーフカット）３０が略矩形枠状に設けられており、シール部２０が略矩形状に剥離しやすくなっている。切込み３０の形状はこれに限定されず、例えば、占いシール１の上半側と下半側との境界部分に直線状に設けられていてもよい。また、切込み３０が省略されていてもよい。
【００３１】
シール部２０の受容層２３には画像Ｇ１が形成され、離型シート１０の受容層１３には画像Ｇ２が形成されている。画像Ｇ２は、シール部２０の切込み３０で囲まれた部分の下方に形成される。シール部２０が離型シート１０に貼り合わされている状態では、受容層１３がシール部２０と隠蔽層１４との間に位置しているため、画像Ｇ２は隠蔽されて視認できなくなっている。
【００３２】
図１（ａ）（ｂ）は占いシール１がおみくじである場合の例を示す。例えば、図１（ａ）に示すように、シール部２０には、矩形枠状の切込み３０が２ヶ所に設けられており、一方の切込み３０の内側の領域Ｒ１にはおみくじの結果（吉凶）を示す画像が印画され、他方の切込み３０の内側の領域Ｒ２にはお守りの絵柄が印画される。
【００３３】
図１（ｂ）、図２（ｂ）に示すように、領域Ｒ１、Ｒ２のシール部２０を離型シート１０から剥離すると、離型層１２及び透明基材１１を介して、画像Ｇ２が視認できるようになる。例えば、図１（ｂ）に示すように、領域Ｒ１のシール部２０の下方の画像Ｇ２は、運勢概要の説明文になっている。また、領域Ｒ２のシール部２０の下方の画像Ｇ２は、学業、金運、恋愛、商売など、項目別のアドバイスになっている。
【００３４】
剥離した領域Ｒ１のシール部２０は、神社の境内に設置された専用ボードに貼り付けることができる。剥離した領域Ｒ２のシール部２０は、お守りステッカーとして任意の場所に貼ることができる。例えば、お守りの絵柄が家内安全であれば家の壁に貼り、交通安全であれば車両に貼る。
【００３５】
おみくじの結果（吉凶）をシール部２０に印画し、運勢概要や項目別アドバイスを離型シート１０に印画するため、占いシール１のサイズが小さい場合でも、運勢概要や項目別アドバイスのスペースを十分に確保することができる。
【００３６】
次に、占いシール１を製造、販売する占いシステムについて説明する。図３に示すように、占いシステムは、注文受付端末（販売機）２、サーバ装置３及びプリンタ４を備える。
【００３７】
注文受付端末２は、顧客から占いシール１の注文を受け付けるものであり、例えば、占いたい項目の選択画面をタッチパネルに表示し、顧客から項目の選択を受け付ける。選択可能な項目は、例えば、学業、金運、恋愛、商売などである。また、項目を限定しないノーマル占いを選択することもできる。ノーマル占いが選択された場合は、さらに、お守りの種類の選択を受け付けてもよい。注文受付端末２は、必要に応じて、顧客から生年月日、血液型、出身地等の顧客情報の入力を受け付ける。
【００３８】
注文受付端末２は、貨幣の投入を受け付け、釣り銭を払い出す課金部が設けられていてもよい。
【００３９】
注文受付端末２は、顧客が選択した項目や占いの種類、顧客から入力された顧客情報等をサーバ装置３に通知する。
【００４０】
サーバ装置３は、吉凶に応じた運勢概要や項目別アドバイス等の詳細情報を示す占いデータや、お守りの絵柄を表すお守りデータを記憶部に保存している。サーバ装置３は、注文受付端末２から通知された顧客情報を用いて吉凶を計算し、計算結果及び顧客が選択した項目に対応する占いデータ及びお守りデータを記憶部から取り出す。
【００４１】
例えば、計算結果が大吉であり、顧客が選択した項目が恋愛である場合、大吉に対応する運勢概要及び恋愛アドバイスを示す占いデータを取り出す。また、例えば、顧客が選択した項目が学業である場合は学業成就の絵柄を表すお守りデータを取り出し、顧客が選択した項目が旅行である場合は交通安全の絵柄を表すお守りデータを取り出す。
【００４２】
サーバ装置３は、計算した吉凶と記憶部から取り出したお守りデータを組み合わせて、シール部２０の受容層２３に印画する表面画像を作成する。表面画像は、図１（ａ）、図２（ａ）に示す画像Ｇ１に対応する。
【００４３】
また、サーバ装置３は、記憶部から取り出した占いデータを用いて、離型シート１０の受容層１３に印画する裏面画像を作成する。裏面画像は、図１（ｂ）、図２（ａ）（ｂ）に示す画像Ｇ２に対応する。サーバ装置３は、表面画像及び裏面画像をプリンタ４へ送信する。
【００４４】
プリンタ４は、図４、図５に示すような受像シート５と、基材の一方の面に染料層が設けられた熱転写シートとがセットされており、両面印刷機能を有するものである。プリンタ４は、受像シート５の表面の受容層２３に熱転写シートから染料を転写して、サーバ装置３から受信した表面画像を形成する。また、プリンタ４は、受像シート５の裏面の受容層１３に熱転写シートから染料を転写して、サーバ装置３から受信した裏面画像を形成する。
【００４５】
表面画像及び裏面画像の形成後、プリンタ４は、受容層１３上に隠蔽層１４を転写し、受像シート５を所定のサイズに切断して、占いシール１を作製し、出力する。受像シート５の切断後に隠蔽層１４を転写してもよい。係員は、プリンタ４から出力された占いシール１を顧客に渡す。注文受付端末２とプリンタ４とが同一の筐体に設けられている場合、出力された占いシール１は顧客が直接受け取る。
【００４６】
図１（ａ）（ｂ）は、顧客が注文受付端末２でノーマル占い及び家内安全守りを選択した場合の占いシール１の例を示す。
【００４７】
顧客が占いたい項目として恋愛を選択した場合は、図６（ａ）（ｂ）に示すような占いシール１が作製される。シール部２０の領域Ｒ２には恋愛成就の絵柄が印画される。領域Ｒ２のシール部２０の下方の画像Ｇ２は、恋愛に関する詳細なアドバイスになっている。
【００４８】
顧客が占いたい項目として学業を選択した場合は、図７（ａ）（ｂ）に示すような占いシール１が作製される。シール部２０の領域Ｒ２には学業成就の絵柄が印画される。領域Ｒ２のシール部２０の下方の画像Ｇ２は、学業に関する詳細なアドバイスになっている。
【００４９】
このように、本実施形態によれば、顧客の希望する種類の占いシール１をオンデマンドに印刷・作製できる。占いシール１の最表面の受容層２３の画像Ｇ１だけでなく、シール部２０を剥離することで視認される受容層１３の画像Ｇ２もオンデマンドに形成できる。占い結果を印刷したみくじ箋を事前に準備しておく必要がないため、コストが抑えられる。
【００５０】
シール部２０の領域Ｒ２には絵馬の画像を印画し、顧客が願い事を記入して、神社の境内に設置された絵馬ボードに貼り付けられるようにしてもよい。
【００５１】
占いシール１の裏面に、神社でのイベントの告知情報等が印刷されていてもよい。例えば、受容層１３上に隠蔽層１４を転写した後に隠蔽層１４上に受容層を転写したり、受容層１３上に、隠蔽層１４と受容層の積層体を転写したりする。そして、隠蔽層１４上の受容層に、告知情報等を示す画像を形成する。
【００５２】
離型シート１０の透明基材１１上に離型層１２の代わりに粘着剤層を設け、シール部２０の基材２２の下層に粘着剤層２１の代わりに離型層を設けてもよい。これにより、離型シート１０から剥離したコマを、シールでなく、粘着性のないコマとして取り扱うことができる。
【００５３】
上記実施形態では、神社で販売するおみくじの占いシールを作製する例について説明したが、タロット占いや星座占いなど他の占いであってもよい。用途は占いに限定されず、シール部と、シール部を剥離しないと視認できない離型シート部とのそれぞれにオンデマンドに画像を形成することが望まれる様々なサービスに適用可能である。
【００５４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５５】
１  占いシール
２  注文受付端末
３  サーバ装置
４  プリンタ
５  受像シート
１０  離型シート
２０  シール部
３０  切込み
【図１】
2020060712.tif 000003
【図２】
2020060712.tif 000004
【図３】
2020060712.tif 000005
【図４】
2020060712.tif 000006
【図５】
2020060712.tif 000007
【図６】
2020060712.tif 000008
【図７】
2020060712.tif 000009